(57)【要約】【課題】簡易な機械的構成によってコスト負担を抑えつつ防犯保安基準を確保することができるカードキー式施錠装置を提供することにある。【解決手段】カードキー式施錠装置１は、施錠ポジションと解錠ポジションとの間を長手方向に進退可能な閂部材３と、その嵌合部１２に対して横断方向に進退可能に係合して施錠ポジションに拘束しうる牽制部材４と、牽制部材４を進退移動させるように進入動作しうる薄板状のカードキー５とから構成され、上記牽制部材４は、その進退位置により上記嵌合部１２に対して係合を解除しうる切欠１３ａを備え、かつ、作用するカードキー５の前端に臨む位置でその幅方向に複数個を並列配置するとともに、それぞれと係合しうる複数の嵌合部１２を上記閂部材３に形成する。【選択図】図１
2005273139.tif 000002
【特許請求の範囲】
【請求項１】
施錠ポジションと解錠ポジションとの間を長手方向に進退可能な閂部材と、この閂部材に形成した嵌合部に対して同閂部材を横断する方向に進退可能に係合して施錠ポジションに同閂部材を拘束する牽制部材と、この牽制部材に作用して進退移動させるように進入動作しうる薄板状のカードキーとからなり、上記牽制部材には、その進退位置により上記嵌合部に対して係合を解除する切欠を形成したカードキー式施錠装置であって、
上記牽制部材は、作用するカードキーの前端に臨む位置でその幅方向に複数個を並列配置し、かつ、それぞれと係合する複数の嵌合部を上記閂部材に形成したことを特徴とするカードキー式施錠装置。
【請求項２】
前記牽制部材には、閂部材の嵌合部に対して係合する位置まで復帰可能に付勢する復帰手段を備えることを特徴とする請求項１記載のカードキー式施錠装置。
【請求項３】
前記閂部材には、その軸線方向に付勢して解錠ポジションに復帰させる復帰手段を備えたことを特徴とする請求項１記載のカードキー式施錠装置。
【請求項４】
前記閂部材には、その解錠ポジションで前記牽制部材によって拘束するための嵌合部をその横断方向に形成し、かつ、これら解錠ポジションの嵌合部は、施錠ポジションの嵌合部の一部を共用して構成したことを特徴とする請求項１記載のカードキー式施錠装置。
【発明の詳細な説明】
【技術分野】
【０００１】
本発明は、簡易な構成により、薄板状のカードキーによって施錠、解錠を行うカードキー式施錠装置に関するものである。
【背景技術】
【０００２】
薄板状のカードキーを用い、機械式その他の方式により施錠と解錠とを制御するカードキー式施錠装置が知られている。これらのカードキー式施錠装置は、携帯に適する薄板状のカードによって操作できることから、取扱性に優れるものである。
【０００３】
しかし、電気、磁気、光学式等の信号処理によって施錠と解錠とを制御するものにあっては、制御部の信号処理を含めて装置構成の複雑化を招くほか、電源条件や定期的な電池交換等を考慮する必要があり、また、制御系や駆動系のトラブルによって、時により動作不能となり、施錠、解錠に支障を来す事態を甘受せざるを得ないという問題がある。
【０００４】
その一方で、力学機構による機械的構成のものは、安定動作が確保されるものの、薄板状のカードキーと力学的機構とによって閂部材の施錠、解錠を行うには、防犯保安上の一定の水準を確保しうる複雑な機構を構成するためのコスト負担上の問題を内包していた。
【発明の開示】
【発明が解決しようとする課題】
【０００５】
本発明の目的は、簡易な機械的構成によってコスト負担を抑えつつ防犯保安上の一定の水準を確保することができるカードキー式施錠装置を提供することにある。
【課題を解決するための手段】
【０００６】
請求項１に係る発明は、施錠ポジションと解錠ポジションとの間を長手方向に進退可能な閂部材と、この閂部材に形成した嵌合部に対して同閂部材を横断する方向に進退可能に係合して施錠ポジションに同閂部材を拘束する牽制部材と、この牽制部材に作用して進退移動させるように進入動作しうる薄板状のカードキーとからなり、上記牽制部材は、その進退位置により上記嵌合部に対して係合を解除する切欠部を形成したカードキー式施錠装置であって、上記牽制部材は、作用するカードキーの前端に臨む位置でその幅方向に複数個を並列配置し、かつ、それぞれと係合する複数の嵌合部を上記閂部材に形成したことを特徴とする。
【０００７】
請求項２に係る発明は、請求項１の構成において、前記牽制部材には、閂部材の嵌合部に対して係合する位置まで復帰可能に付勢する復帰手段を備えることを特徴とする。
【０００８】
請求項３に係る発明は、請求項１の構成において、前記閂部材には、その軸線方向に付勢して解錠ポジションに復帰させる復帰手段を備えたことを特徴とする。
【０００９】
請求項４に係る発明は、請求項１の構成において、前記閂部材には、その解錠ポジションで前記牽制部材によって拘束するための嵌合部をその横断方向に形成し、かつ、これら解錠ポジションの嵌合部は、施錠ポジションの嵌合部の一部を共用して構成したことを特徴とする。
【発明の効果】
【００１０】
上記構成のカードキー式施錠装置は、以下の効果を奏する。
上記複数の牽制部材は、閂部材の施錠ポジションにおいてその嵌合部に係合部が進入係合して閂部材を拘束保持し、ここでカードキーが牽制部材に作用するように進入動作することにより、カードキーによる進入作用量に応じて牽制部材上の係合部がそれぞれ移動され、すべての切欠が閂部材の対応する嵌合部に臨む場合において、閂部材が軸線方向に解錠ポジションまでの間を進退移動可能となり、解錠することができる。
【００１１】
このように、上記カードキー式施錠装置は、カードキーの進入に伴う牽制部材の進退移動位置によって閂部材が解錠可能となることから、各種の移動量を設定した複数の牽制部材をカードキーの幅方向に並列配置した簡易な構成により、進入量と配列数との膨大な組み合わせの中から適合するカードキーを設定することができるので、適合するカードキーを持たない限り、解錠操作が極めて困難で防犯保安性を確保することができる。
【００１２】
前記牽制部材が閂部材の嵌合部に対して係合する位置まで復帰するように構成した場合は、施錠ポジションにおいてカードキーを抜取ると復帰手段により牽制部材が嵌合部に対して係合動作して閂部材が拘束されるので、簡易に施錠操作することができるとともに、施錠状態を維持することができる。
【００１３】
前記閂部材をその軸線方向に付勢して解錠ポジションに復帰させるように構成した場合は、適合するカードキーを進入操作すると、牽制部材の係合が解除されて閂部材が解錠ポジションに移動されることから、施錠部を速やかに開放することができる。
【００１４】
前記閂部材の施錠ポジションのための嵌合部の一部を共用して解錠ポジション用の嵌合部を形成するようにした場合は、簡易な構成の閂部材により、施錠ポジションと解錠ポジションの両ポジションに閂部材を拘束保持することができる。
【発明を実施するための最良の形態】
【００１５】
本発明の実施の形態について、以下に図面に基づいて詳細に説明する。
カードキー式施錠装置１は、その一部破断による透視斜視図を図１に示すように、ケースフレーム２内で進退可能な閂部材３、並列配置して閂部材３を拘束するための複数の牽制部材４…、ケースフレーム２の正面側で薄板状のカードキー５を挿通するスリット６ｓを形成したカードガイド部６等から構成される。
【００１６】
詳細には、一部破断による透視平面図および透視側面図を、それぞれ、図２、図３に示すように、ケースフレーム２の片側面には窓１１を形成して閂部材３を挿通し進退可能に支持部３ａ，３ｂに支持する。閂部材３は、施錠ポジションＬと解錠ポジションＵとの間でその軸線方向にストッパ３ｓの範囲で進退可能に保持し、片側のポジション（例えば、解錠ポジションＵ）に移動させる復帰ばね（復帰手段）３ｒを付設する。閂部材３の先端には、施錠ポジションでケースフレーム２の窓１１から突出して相手側に貫入する閂部３ｔを形成するほか、進退操作用のツマミ腕３ｈを正面側に突設する。
【００１７】
また、閂部材３には、牽制部材４…によって少なくとも施錠ポジションＬに拘束保持するために、図４の拡大斜視図に示すように、横断方向に延びる溝等による複数の嵌合部１２…を等間隔ｐに形成する。これら嵌合部１２…の一部を共用して、解錠ポジションＵ等、必要に応じてそのポジションのための嵌合部１２…を形成する。
【００１８】
この閂部材３の各嵌合部１２に対して閂部材３の必要なポジションにおいて係脱可能に進入係合する係合部１３を牽制部材４に形成する。各係合部１３には、牽制部材４の所定の進入位置Ｓにおいてのみ閂部材３の拘束を解除して進退動作を許容するべく、嵌合部１２と係合する形状の切欠１３ａを形成する。この牽制部材４を挿通支持し、またはスライド溝等を形成したスライド支持部１４、１４を設けて閂部材３の横断方向に各牽制部材４を進退可能に支持する。また、牽制部材４にはストッパ４ｓを形成してこのストッパ４ｓの位置まで復帰保持する付勢力を及ぼすスプリング等による付勢部材１５をそれぞれに設ける。
【００１９】
カードキー５は、金属その他の耐久材による薄板により、必要により、表面を樹脂コート等の被覆をしてカード状にし、携帯に適する可撓性とともに面内方向の操作力を確保しうる機械的強度を確保する。その前端には、各牽制部材４にそれぞれ作用する作用部５ａを切欠等によって後退した位置に形成する。各作用部５ａによる進入距離Ｔは、各嵌合部１２との係合を脱する横断位置までの移動距離Ｓと一致させることにより、カードキー５の進入操作によって閂部材３に対する全牽制部材４…の係合を解除することができる。
【００２０】
カードガイド部６は、図５の正面図に示すように、カードキー５を挿通するスリット６ｓを形成してそのその外周空間を封鎖するように構成し、必要により外装板を取付ける。また、正面側には、ツマミ腕３ｈを配して閂部材３を操作可能に構成する。
【００２１】
上記のようにカードキー式施錠装置１を構成することにより、牽制部材４は、閂部材３の施錠ポジションのほか、解錠ポジション等の必用なポジションにおいて対応する各嵌合部１２に係合部１３が進入係合して閂部材３を拘束保持する。ここで、カードガイド部６の狭いスリット６ｓから適合するカードキー５が差し込まれると、その前端の作用部５ａが牽制部材４に作用してカードキー５の進入量Ｔに応じて牽制部材４…とともにそれぞれの係合部１３が移動される。すべての切欠１３ａ…が閂部材３の対応する嵌合部１２…に臨むことにより、閂部材３が軸線方向に進退移動可能となり、復帰ばね３ｒ、または、スライド操作されるツマミ腕３ｈを介して軸線方向に作用力が加わることにより、解錠または施錠することができる。この閂部材３が所定のポジションにあれば、カードキー５を抜き取ると、付勢部材１５によって牽制部材４が係合位置に復帰して閂部材３はそのポジションに拘束保持される。
【００２２】
このように、上記カードキー式施錠装置１は、狭いスリット６ｓからのカードキー５の挿入に伴う牽制部材４の進入量の調節によって閂部材３を解錠することができることから、適合するカードキーなしに解錠するには、狭いスリット６ｓから多数の牽制部材４…の進入量調節を要する困難な作業を強いられることとなる。また、上記カードキー式施錠装置１は、例えば、進入量Ｓを１０段階に設定し、牽制部材をカードキーの幅方向に１０列に並列配置することによって１００億とおりの組み合わせが可能となるので、適合するカードキーを持たない場合に解錠操作が極めて困難であり、したがって、防犯保安性を簡易な構成によって確保することができる。
【００２３】
また、閂部材３の嵌合部１２…は、施錠ポジションＬのための嵌合部１２…の一部を共用して解錠ポジションＵ用の嵌合部１２…を形成することにより、閂部材３を解錠ポジションＵに拘束することができることから、閂部材３の嵌合部１２…を簡易に構成することができる。
【００２４】
上記閂部材３の復帰ばね３ｒについては、閂部材３をその軸線方向に付勢して所要の位置（解錠ポジションＵまたは施錠ポジションＬ）に復帰させることから、解錠ポジションＵに復帰するように構成した場合は、適合するカードキー５の挿入操作に伴って閂部材３が解錠ポジションＵに移動し、施錠部を速やかに開放することができる。
【図面の簡単な説明】
【００２５】
【図１】カードキー式施錠装置の一部破断による透視斜視図である。
【図２】カードキー式施錠装置の一部破断による透視平面図である。
【図３】カードキー式施錠装置の透視側面図である。
【図４】閂部材と牽制部材の関係を示す拡大斜視図である。
【図５】カードキー式施錠装置の正面図である。
【符号の説明】
【００２６】
１    カードキー式施錠装置
２    ケースフレーム
３    閂部材
３ｒ    復帰ばね（復帰手段）
４    牽制部材
５    カードキー
５ａ    作用部
６    カードガイド部
６ｓ    スリット
１２    嵌合部
１３    係合部
１３ａ    切欠
１５    付勢部材（復帰手段）
Ｐ    間隔
Ｓ    移動距離
Ｔ    進入距離
【図１】
2005273139.tif 000003
【図２】
2005273139.tif 000004
【図３】
2005273139.tif 000005
【図４】
2005273139.tif 000006
【図５】
2005273139.tif 000007